(57)【要約】      （修正有）【課題】熱反射部材によって反射された間接熱（反射熱）を履物の甲部および甲部内に速やかにかつ効率的に伝え、甲部内の足温効果をさらに一段と高める足温式履物を提供する。【解決手段】底部１２と、この底部１２の上部を被って足の挿入を可能にする甲部１３とを備える履物であって、甲部１３の上面に、この上面に載置される薄型カイロ２１の上面および周囲を包むように閉じ操作される開閉蓋１７を設け、この開閉蓋１７の内面に熱反射部材１９を設けた。【選択図】図３
0003183073.tif 000002
【実用新案登録請求の範囲】
【請求項１】
底部と、この底部の上部を被って足の挿入を可能にする甲部とを備える履物であって、
前記甲部の上面に、この上面に載置される薄型カイロの上面および周囲を包むように閉じ操作される開閉蓋が設けられ、
該開閉蓋の内面には熱反射部材が設けられていることを特徴とする足温式履物。
【請求項２】
前記熱反射部材が、前記開閉蓋の内面に設けられたアルミ膜またはアルミ箔であることを特徴とする請求項１記載の足温式履物。
【考案の詳細な説明】
【技術分野】
【０００１】  本考案は、使い捨てカイロと呼ばれる薄型のカイロを用いて足を暖めるための足温式履物に関する。
【背景技術】
【０００２】  従来から、履物内部に体温で暖められる保温性の敷皮を用いて履物内部を暖めるものが多数提案されている  。しかし、かかる従来の履物は足裏の体温によって暖められる敷皮を用いているため、長時間使用する場合には、それなりの足温効果が得られるものの、その敷皮自体に発熱作用がないため、履物に挿入された足を積極的に暖めることができない。
これに対して、履物の上板と上敷板との間に使い捨てカイロを配置し、この使い捨てカイロの発熱時間中に履物に挿入されている足を積極的に、短時間で暖めることができる足温履物が提案されている（例えば、特許文献１）。
【先行技術文献】
【０００３】
【特許文献】
【特許文献１】特開平０７−３２７７０３号公報
【考案の概要】
【考案が解決しようとする課題】
【０００４】  しかしながら、かかる従来の足温履物にあっては、使い捨てカイロが発生する温熱を足温に利用しようとするものであるが、そのカイロが発生する温熱が上板や上敷板自体に吸収され、さらにはこれらの上板や上敷板を通して外に逃げてしまい、その温熱を効率的にかつ速やかに履物内の足に伝えることができない。特に外気温が極度に低い場合には、十分な足温効果が得られないという不都合があった。【０００５】  本考案はかかる従来の不都合を解決するためになされたものであり、その目的とするところは、熱反射部材による熱反射作用を利用してカイロが発生する温熱を履物の内部に伝えて、速やかにかつ効率的に足を暖めることができる足温式履物を提供することにある。
【課題を解決するための手段】
【０００６】  前記目的達成のために、本考案にかかる足温式履物は、底部と、この底部の上部を被って足の挿入を可能にする甲部とを備える履物であって、前記甲部の上面に、この上面に載置される薄型カイロの上面および周囲を包むように閉じ操作される開閉蓋が設けられ、該開閉蓋の内面には熱反射部材が設けられていることを特徴とする。【０００７】  この構成により、甲部の上面に設けられた開閉蓋を開いて、発熱操作された薄型カイロをその甲部上に載置し、さらにこの開かれた前記開閉蓋を、その薄型カイロ全体の上部および周囲を被うように閉じることで、薄型カイロを密閉空間内に閉じ込めることができる。このとき、薄型カイロは自身で発熱を開始し、その温熱は甲部を介してその甲部位置付近の靴本体内部に伝えられ、足温作用を呈する。【０００８】  また、開閉蓋の裏側（内側）にはアルミ箔やアルミシートなどの熱反射部材が設けられているため、薄型カイロが発生する温熱のうち熱反射部材によって反射された温熱は開閉蓋の外側へは逃げずに、反射熱として甲部および甲部内に集中的に放射される。従って、履物に挿入されている足や足の指先にその温熱を効率的に及ぼすことができる。かくして、外気温が極めて低い環境にあっても、薄型カイロから直接伝えらえる温熱に加えて、熱反射部材から反射された間接熱（反射熱）の利用によって、より高温の足温効果が得られる。
【考案の効果】
【０００９】  本考案によれば、使い捨て用の薄型カイロが発生する熱を履物の甲部および甲部内に直接伝えることができることに加え、熱反射部材によって反射された間接熱（反射熱）を履物の甲部および甲部内に速やかにかつ効率的に伝え、甲部内の足温効果をさらに一段と高めることができる。【００１０】  以上、本考案について簡潔に説明した。更に、以下に本考案を実施するための最良の形態を添付の図面を参照して、詳細に説明する。
【図面の簡単な説明】
【００１１】
【図１】本考案の実施形態による足温式履物を示す斜視図である。
【図２】図１に示す足温式履物の平面図である。
【図３】図１に示す足温式履物の断面図である。
【図４】図１における開閉蓋の解放状態を示す断面図である。
【考案を実施するための形態】
【００１２】  以下、本考案の実施の形態にかかる足温式履物を、図１乃至図４を参照して説明する。図１乃至図４は前記足温式履物がスリッパである場合を示しているが、その履物が短靴、長靴や草履である場合にも、以下に述べる本実施形態の構成、作用、効果を採用できるものである。
【００１３】  図１乃至図４において、履物であるスリッパ１１は底部１２および甲部１３から構成されている。これらのうち底部１２は、アウトソールと呼ばれる足型の本底（下底）１２ａおよびインソールと呼ばれる中底１２ｂとを接着剤によって貼り合わせたものからなる。本底１２ａおよび中底１２ｂはポリエチレン（ＥＶＡ）、ウレタン等を素材として構成され、必要に応じこの中底１２ｂの表面素材としてポリ塩化ビニール（ＰＶＣ）等を用いることができる。
【００１４】  なお、本底１２ａおよび中底１２ｂは各１枚に限定されず、２枚以上を重ねたものとすることもできる。また、図示しないが、踵部分にはウレタン等のクッション材を付加することもできる。さらに、吸湿性、保温性、通気性などについて居心地を向上させるために、中底１２ｂには、例えば綿や麻などの天然繊維、ポリエステル、ナイロン等の合成繊維の被覆布で被うこともできる。
【００１５】  一方、甲部１３は、足の指およびこの足の指の付け根から足の甲部のサイズおよび形状に合わせて、例えば伸縮部材などによってドーム状に形成されており、爪先立ちによる折れ曲がりに伴う応力を吸収可能にして、その折れ曲がり部における亀裂などの折損を回避可能にしている。なお、足の甲部に相当する部位はその甲部から足が簡単に脱げ落ちないように、伸縮性のある材料を使用することができる。
【００１６】  特に、甲部１３の前部には、弾性を有するゴム引布、綿糸と糸ゴムを編んだストレッチタイプの編み物などのほか、必要に応じて天然ゴム、合成ゴムといった足の膨張を吸収する弾性素材を用いてもよい。なお、非弾性素材の例えばポリエステル繊維、ＰＢＴ繊維、ポリアミド繊維に特殊加工を施して伸縮性を付与した加工糸を用いた織物、編み物も任意に採用してもよい。一方、弾性素材として前記ゴム素材のほか、ポリウレタン弾性糸、芯鞘型複合糸、ポリエーテル・エステルなどの織物、編み物を採用することができる。
【００１７】  前記甲部１３の設置部位に対応する中底１２ｂの前部およびこれに連続する側部は、図３に示すように、所定幅に亘って肉薄部１４とされており、この肉薄部１４と本底１２ａの前端部およびこれに連続する側部との間に、甲部１３においてＵ字状に湾曲する部位が介在されている。つまり、甲部１３は、断面がドーム状をなし、先端部でＵ字状に湾曲する爪掛け部１５とこれに連続して足の甲部付近に及ぶ長さ、幅のドーム状の被い部１６とからなる。
【００１８】  そして、爪掛け部１５の一端部（下端部）が前述のように、肉薄部１４と本底１２ａとの間に介在され、これらが接着材を用いて接着され、または接着材を介在した上で縫合されて、一体結合されている。これにより、爪掛け部１５の底部１２に対する結合が強固になされる。
【００１９】  一方、前記甲部１３の被い部１６上には、天然素材や合成樹脂などからなるシート状の開閉蓋１７が開閉操作可能に設けられている。この開閉蓋１７は、前記甲部１３の略全体を被うサイズ、形状をなし、その後端部が、甲部１３に足を挿入する側の開口縁１３ａ付近に接着材を用いてまたは縫合によって連結されている。
【００２０】  従って、この連結部Ｒを中心として、開閉蓋１７が、図４に示すように、矢印Ｐ方向に開放操作可能になっている。つまり、開閉蓋１７は甲部１３の上面に対し開閉可能になっている。従って、開閉蓋１７の先端部を指で摘んで上方および手前に引き上げることにより、開閉蓋１７で被われた部位の甲部１３の上面が露出（開放）状態になる。また、この開閉蓋１７は下面（内面）に金属箔、例えばアルミ箔などの熱反射部材１９を有する。この熱反射部材１９は開閉蓋１７の下面にラミネート処理したり、貼り付けたりするようにして設けられ、後述のように薄型カイロが発生する温熱を開閉蓋１７側とは反対側にある、甲部１３およびこの甲部１３の内部へ熱反射するように機能する。
【００２１】  さらに、熱反射部材１９が設けられた開閉蓋１７の下面（内面）であって、前記連結部Ｒを除く部位の周辺部には第１の面ファスナ１８が接着によりまたは縫合によって取り付けられている。この開閉蓋１７によって被われる領域の前記甲部１３上面であって、前記第１の面ファスナ１８に対向する位置には、この第１の面ファスナ１８に着脱可能に締結可能な第２の面ファスナ２０が接着または縫合によって取り付けられている。従って、甲部１３の上面には、第１の面ファスナ１８および第２の面ファスナ２０によって囲まれた領域に、薄型カイロの設置部（収納部）Ａが形成される。
【００２２】  かかる構成になる足温式履物では、まず人がスリッパ１１に足を入れる前後に、図４に示すように、開閉蓋１７を、第１の面ファスナ１８が第２の面ファスナ２０から分離する方向（前記矢印Ｐ方向）に、開閉蓋１７を開く。続いて、この開かれた甲部１３上の前記設置部Ａに、予め用意して例えば揉み解すなどの発熱開始処理をした薄型カイロ２１を設置する。
【００２３】  そして、開閉蓋１７をその薄型カイロ２１の全体を被うように前記設置部Ａ上に重ね、第１の面ファスナ１８を第２の面ファスナ２０に結着させる。これにより、薄型カイロ２１は甲部１３上において開閉蓋１７の内側に密閉状態にて保持され、薄型カイロ２１が発生した温熱は甲部１３およびこの甲部１３内に伝えられる。
【００２４】  一方、開閉蓋１７の内側（裏側）にはアルミ箔などの熱反射部材１９が設けられているため、薄型カイロ２１が発生する温熱のうち開閉蓋１７方向に放射される温熱は、その熱反射部材１９によって甲部１３に向かって熱反射される。この結果、開閉蓋１７による熱吸収およびその開閉蓋外へ熱逃散が抑えられ、前記反射された温熱が前記甲部１３に対し集中的に作用する。この結果、開閉蓋によって被われた甲部１３自体、さらにはこの甲部１３内部に入れられた人の足や足指に対する温熱作用を格段に高めることができる。
【００２５】  なお、前記においては、履物がスリッパ１１の場合について述べたが、同様の甲部を持つ短靴や長靴、草履などの履物にも、前記と同様の構成を採用することで、その履物内部の足や足指に対する温熱作用を格段に高めることができる。
【００２６】  以上のように、本実施の形態による足温式履物は、底部１２と、この底部１２の上部を被って足の挿入を可能にする甲部１３とを備える履物１１であって、前記甲部１３上に、この甲部１３の上面に載置される薄型カイロ２１の上面および周囲を包むように閉じ操作される開閉蓋１７を設け、この開閉蓋１７の内面に熱反射部材１９を設けた構成とされる。これにより、その熱反射部材１９による熱反射作用を利用して、薄型カイロ２１が発生する温熱を効率的に甲部１３内に伝えて、速やかに足を暖めることができる。
【００２７】  この場合において、熱反射部材１９を前記開閉蓋１７の内面に形成されたアルミ膜またはアルミ箔としたことで、アルミ膜またはアルミ箔によって反射された薄型カイロの反射熱を、簡単かつ安価に甲部１３に集中させることができる。また、外気温が極めて低い環境にあっても、薄型カイロ２１から甲部１３に直接伝えらえる温熱に加えて、熱反射部材１９によって反射される間接熱（反射熱）を甲部１３に作用させることによって、さらに高い足温効果が得られるものとなる。
【産業上の利用可能性】
【００２８】  本考案の足温式履物は、熱反射部材によって反射された間接熱（反射熱）を履物の甲部および甲部内に速やかにかつ効率的に伝え、甲部内の足温効果をさらに一段と高めることができるという効果を有し、使い捨てカイロと呼ばれる薄型のカイロを用いて足を暖めるための足温式履物等に有用である。
【符号の説明】
【００２９】１１  スリッパ（履物）
１２  底部
１２ａ  本底
１２ｂ  中底
１３  甲部
１４  肉薄部
１５  爪掛け部
１６  被い部
１７  開閉蓋
１８  第１の面ファスナ
１９  熱反射部材
２０  第２の面ファスナ
２１  薄型カイロ
【図１】
0003183073.tif 000003
【図２】
0003183073.tif 000004
【図３】
0003183073.tif 000005
【図４】
0003183073.tif 000006